(57)【要約】  本発明は、安全な不正開封防止クロージャ（８４）を有する再閉鎖可能折畳み箱（４１、４２、４３）に関し、この折畳み箱の側壁面（２〜６、６４、６５）は、一体型の素材片（１、１ａ、１ｂ）で作られ、折畳み箱（４１、４２、４３）が、接着接続部および／または弱い領域の少なくとも１つの切離し可能ライン（１６、１７；１６ａ、１６ｂ、１７ａ、１７ｂ）を破らない限り開封することができないように、互いに接着される。本発明の目的は、安全な不正開封防止クロージャを有する再閉鎖可能な医薬品包装のための解決策を提供することであり、この解決策は、安全な不正開封防止クロージャの少なくともかなりの部分を形成する切離しタブの、改善された取扱い適合性および視覚検出性を提供する。これは、切離しタブ（１８）の縁部側の境界を定めるライン（８５）が、折畳み箱の縁部（３９、５２）に届き、折畳み箱の外側において第１のリニアパターン（２０）、特にギロシェパターンが、弱い領域のライン（１６、１７；１６ａ、１６ｂ、１７ａ、１７ｂ）を越えて少なくとも１つのパターンラインが少なくとも部分的に延びて印刷されることと、によって実現される。第１のリニアパターン（２０）は、折畳み箱の外側から視認可能でありリニアパターン（２０）とは対照となるような色で印刷された領域（２１、２２）に隣接する。この領域は、切離しタブ（１８）を囲むように、または切離しタブを少なくとも覆うように、第１の側壁面（２）の外側における切離しタブ（１８）の縁部側の境界を定める縁部（８６）の領域に形成されるか、あるいは少なくとも、折畳み箱の外側に面して切離しタブ（１８）に覆われた、少なくとも第２の側壁面（３）領域、および第２の側壁面（３）に対してヒンジ接続され、切離しタブに移行するよう切離しタブ（１８）に隣接した第３の側壁面（４）の外側における境界を定めるライン（８５）の領域に形成される。
2019510704.tif 000002
【特許請求の範囲】
【請求項１】
安全な不正開封防止クロージャ（８４）を有する再閉鎖可能折畳み箱（４１、４２、４３）であって、
プルタブ（１８）を備え、
側壁面（２〜６、６４、６５）が一体型の素材片（１、１ａ、１ｂ）で形成され、接着接合部および／または少なくとも１つの切離し可能な引裂きライン領域（１６、１７、１６ａ、１６ｂ、１７ａ、１７ｂ）を破らなければ開封することができないように接着されており、
前記プルタブ（１８）は、縁部側の境界ライン（８５）が折畳み箱の縁部（３９、５２）に届き、折畳み箱の外側に第１のリニアパターン（２０）、特にギロシェパターンが、前記引裂きライン領域（１６、１７、１６ａ、１６ｂ、１７ａ、１７ｂ）を越えて少なくとも１つのパターンラインが少なくとも部分的に延びるよう印刷されており、前記第１のリニアパターン（２０）は、前記折畳み箱の外側から視認可能であり且つ前記第１のリニアパターン（２０）に対して対照色で印刷された領域（２２）に隣接し、第１の側壁面（２）の外側の前記ブルタブ（１８）の縁部側限定縁部（８６）の領域、または前記折畳み箱の外側に面し且つ前記プルタブ（１８）で覆われた第２の側壁面（３）の少なくとも表面領域における前記境界ライン（８５）の領域と、前記第２の側壁面（３）に対して外側でヒンジ接続され且つ前記プルタブ（１８）に隣接する第３の側壁面（４）の外側とに、そこへ入るように、少なくとも前記プルタブ（１８）を含んで囲むように形成されることを特徴とする、前記再閉鎖可能折畳み箱（４１、４２、４３）。
【請求項２】
前記第１のリニアパターン（２０）とは色および／またはコントラストが異なる、第２のリニアパターン（３１）、特に第２のギロシェパターンは、前記折畳み箱の外側に面する前記第２の側壁面（３）の表面に形成されるか、または前記プルタブ（１８）に当接し、前記プルタブ（１８）に覆われた領域（３０）において、第３の側壁面（４）に対してヒンジ接続された挿入タブ（２４）に形成されることを特徴とする、請求項１に記載の再閉鎖可能折畳み箱（４１、４３）。
【請求項３】
前記第２および前記第３の側壁面（３、４）の継ぎ目は、組立てられた前記折畳み箱（４２、４３）の側方縁部（５２）を形成する折畳みライン（７ｄ）として形成され、対照色で印刷された領域（２１、２２）において２つの折畳みラインコース（７’ｄ、７”ｄ）に分離して、先端が細い閉じた楕円（５１）を形成し、前記１つの折畳みライン（７ｄ）に再結合して、それによって前記プルタブ（１８）の前記領域で溝状に形成された側縁部領域（５３）を形成することを特徴とする、請求項１または２に記載の再閉鎖可能折畳み箱（４２、４３）。
【請求項４】
前記対照色で印刷された領域（２１、２２）は、前記引裂きラインまたは引裂きライン領域（１６、１７、１６ａ、１７ａ）を越えて少なくとも部分的に延びることを特徴とする、請求項１〜３のいずれか１項に記載の再閉鎖可能折畳み箱（４１、４２、４３）。
【請求項５】
前記引裂きライン領域は、リニアカービングまたはミシン目ライン（１６、１７、１６ａ、１６ｂ、１７ａ、１７ｂ）として形成されることを特徴とする、請求項１〜４のいずれか１項に記載の再閉鎖可能折畳み箱（４１、４２、４３）。
【請求項６】
前記折畳み箱（４１、４２、４３）の２つの対向する狭い側壁および広い側壁（１０，９）を形成する、少なくとも４つの側壁面（２、３、４、５、６、６４、６５）と、対向する上側壁および底側壁（４０、８３）を形成する少なくとも２つの側壁面（１２、２３、２６〜２９、７６、７７）とを有する、一体型の折畳み箱の素材片（１、１ａ、１ｂ）によって形成されることを特徴とする、請求項１〜５のいずれか１項に記載の再閉鎖可能折畳み箱（４１、４２、４３）。
【請求項７】
前記安全な不正開封防止クロージャ（８４）は、前記折畳み箱（４１、４２、４３）の外部の第１の側壁面（２）において、前記プルタブ（１８）の境界を定めている少なくとも１つ以上の前記引裂きライン領域（１６、１７、１６ａ、１６ｂ、１７ａ、１７ｂ）に沿って取外し可能に一体化された、接着剤を使用していない前記プルタブ（１８）によって形成されることを特徴とする、請求項１〜６のいずれか１項に記載の再閉鎖可能折畳み箱（４１、４２、４３）。
【請求項８】
再閉鎖性は、前記折畳み箱の素材片（１、１ａ、１ｂ）の上側または底側タブ（１３，２４、２６〜２９）に切込みを入れられた形成領域（３５〜３８）によって、協働する関連の上側もしくは底側の挿入タブ（１３，２４）の領域（５８〜６１）を閉鎖するための挿入領域を、前記形成領域（３５〜３８）が形成することで可能にされるか、または、前記プルタブ（１８）に対してヒンジ接続された挿入舌部（１１）と協働する挿入スリット（６９）によって可能にされることを特徴とする、請求項１〜７のいずれか１項に記載の再閉鎖可能折畳み箱（４１、４２、４３）。
【請求項９】
プルタブ（１８）を備える安全な不正開封防止クロージャ（８４）を有し、且つ接着剤によって一体型の素材片（１、１ａ、１ｂ）で形成された側壁面（２〜６、６４，６５）を有する再閉鎖可能折畳み箱（４１、４２、４３）を、接着接合部および／または少なくとも１つの切離し可能な引裂きライン領域（１６、１７、１６ａ、１６ｂ、１７ａ、１７ｂ）を破らなければ開封することができないように作製する折畳み箱の素材片（１、１ａ、１ｂ）であって、
前記プルタブ（１８）には、折畳み箱の外側上部に第１のリニアパターン（２０）、特にギロシェパターンが、引裂きライン領域（１６、１７、１６ａ、１６ｂ、１７ａ、１７ｂ）を越えてパターンラインが少なくとも部分的に延びて印刷されており、前記第１のリニアパターン（２０）は、第１の側壁面（２）に形成され、前記折畳み箱（４１、４２、４３）が前記折畳み箱の素材片（１、１ａ、１ｂ）から組立てられるときに、前記折畳み箱の外側から視認可能であり且つ前記第１のリニアパターン（２０）に対して対照色で印刷された領域（２１、２２）に隣接して、前記第１の側壁面（２）の外側における前記プルタブの縁部側限定縁部（８６）の領域で、少なくとも前記プルタブ（１８）を含んで囲むように形成され、または前記第１のリニアパターン（２０）は、前記折畳み箱（４１、４２、４３）が前記折畳み箱の素材片（１、１ａ、１ｂ）から組立てられるときに、第２の側壁面（３）に対して折畳み可能な前記第１の側壁面（２）に、前記折畳み箱の外側から視認可能であり、前記第１のリニアパターン（２０）に対して対照色で印刷された領域（２１、２２）に対して当接して形成され、前記折畳み箱（４１、４２、４３）が前記折畳み箱の素材片（１、１ａ、１ｂ）から組立てられるときに、前記折畳み箱の外側に面する前記第２の側壁面（３）の少なくとも表面領域、ならびに前記第２の側壁面（３）に対してヒンジ接続された第３の側壁面（４）の外側に、そこへ入るように形成され、前記折畳み箱（４１、４２、４３）が組立てられて前記第１の側壁面（２）が前記第２の側壁面（３）の上に折畳まれたとき、対照色で印刷された領域（２１、２２）は、折畳み箱の縁部（３９、５２）に達する前記プルタブ（１８）の境界ライン（８５）の領域に配置され、前記第２の側壁面（３）の前記表面領域における前記プルタブ（１８）によって、少なくともほとんどの部分が覆われ、前記プルタブ（１８）は前記第３の側壁面（４）に当接することを特徴とする、折畳み箱の素材片（１、１ａ、１ｂ）。
【請求項１０】
前記第１のリニアパターン（２０）とは色および／またはコントラストが異なる、第２のリニアパターン（３１）、特に第２のギロシェパターンは、前記折畳み箱（４１、４２、４３）が組立てられたときに載った前記プルタブ（１８）によって覆われる領域（３０）において、前記折畳み箱の外側または第３の側壁面（４）に対してヒンジ接続された挿入タブ（２４）に面した、前記第２の側壁面（３）の前記表面に形成されることを特徴とする、請求項９に記載の折畳み箱の素材片（１、１ｂ）。
【請求項１１】
前記折畳み箱（４２、４３）が前記折畳み箱の素材片（１ａ、１ｂ）から作製されたときに、前記第２および前記第３の側壁面（３、４）の継ぎ目は、組立てられた前記折畳み箱（４２、４３）の側縁部（５２）を形成する折畳みライン（７ｄ）として形成され、対照色で印刷された領域（２１、２２）は２つの折畳みラインコース（７’ｄ、７”ｄ）に分離して、先端が細い閉じた楕円（５１）を形成し、前記１つの折畳みライン（７ｄ）に再結合して、それによって前記プルタブ（１８）領域で溝状に形成された側縁部領域（５３）を形成することを特徴とする、請求項９または１０に記載の折畳み箱の素材片（１ａ、１ｂ）。
【請求項１２】
前記対照色で印刷された領域（２１、２２）は、前記引裂きラインまたは引裂きライン領域（１６、１７、１６ａ、１６ｂ、１７ａ、１７ｂ）を越えて少なくとも部分的に延びていることを特徴とする、請求項９〜１１のいずれか１項に記載の折畳み箱の素材片（１、１ａ、１ｂ）。
【請求項１３】
前記引裂きライン領域は、リニアカービングまたはミシン目ライン（１６、１７、１６ａ、１６ｂ、１７ａ、１７ｂ）として形成されることを特徴とする、請求項９〜１２のいずれか１項に記載の折畳み箱の素材片（１、１ａ、１ｂ）。
【請求項１４】
前記折畳み箱（４１、４２、４３）の２つの対向する狭い側壁および広い側壁（１０、９）をそれぞれ形成する、少なくとも４つの側壁面（２、３、４、５、６、６４、６５）と、対向する上側壁および底側壁（４０、８３）を形成する少なくとも２つの側壁面（１２、２３、２６〜２９、７６，７７）とを有する、一体型として形成されることを特徴とする、請求項９〜１３のいずれか１項に記載の折畳み箱の素材片（１、１ａ、１ｂ）。
【請求項１５】
１つのプルタブ（１８）が、前記折畳み箱の素材片（１、１ａ、１ｂ）の外部の第１の側壁面（２）に、前記プルタブの境界を定める少なくとも１つ以上の前記引裂きライン領域（１６、１７、１６ａ、１６ｂ、１７ａ、１７ｂ）に沿って、取外し可能に一体化されることを特徴とする、請求項９〜１４のいずれか１項に記載の折畳み箱の素材片（１、１ａ、１ｂ）。
【請求項１６】
前記折畳み箱の素材片（１、１ａ、１ｂ）の上側または底側のタブ（１３、２４、２６〜２９）に、関連して協働する上側または底側の挿入タブ（１３、２４、２６〜２９）の領域を閉鎖するための挿入領域を形成するように、切込みを入れて再閉鎖を可能にする形成領域（３５〜３８、６２、６３）を備えるか、または、前記プルタブ（１８）に対してヒンジ接続された挿入舌部（１１）と協働して、再閉鎖を可能にする挿入スリット（６９）を備えることを特徴とする、請求項９〜１５のいずれか１項に記載の折畳み箱の素材片（１、１ａ、１ｂ）。
【発明の詳細な説明】
【技術分野】
【０００１】
本発明は、プルタブを備えた安全な不正開封防止クロージャを有する、再閉鎖可能な折畳み箱を対象としており、その側壁面は一体型の素材片で形成され、折畳み箱が、接着接合部および／または少なくとも１つの切離し可能な引裂きライン領域を破らなければ開封することができないように、側壁面は接着される。
【０００２】
同様に本発明は、プルタブを備えた安全な不正開封防止クロージャを有し、接着接合部および／または少なくとも１つの切離し可能な引裂きライン領域を破らなければ開封することができないように接着された、一体型の素材片で形成された側壁面を有する再閉鎖可能な折畳み箱を作製するための、折畳み箱の素材片を対象としている。
【背景技術】
【０００３】
法定規制のため、製薬業界は、人体に適用するための特定の医薬品について、医薬品の外装の一部として特定の安全機能を提供するよう義務付けられている。使用者が、包装がすでに開封されているか、すなわち誰かがすでに包装を改ざんしたかどうかを確認できる方法を提供することが、これらの安全機能の一部である。
【０００４】
加えて医薬品は、ブリスター包装でさらに包装されているカプセル、ピルなどの医薬品を、外装が含むように提供されることが多い。使用するとき、１つの医薬品はブリスター包装から取り出され、一方でその他の医薬品はブリスター包装内に残る。次にこれらのブリスター包装は、外装の中に押し戻されるか、または元に戻されるので、再閉鎖可能にも形成された外装を有することが、さらに望ましいことが多い。この場合、「再閉鎖可能」は、包装が閉鎖位置に留まるように独立して閉じられて、使用者によって容易に再開封することができることを意味する。
【０００５】
包装が、すでに開封されているかどうかを判断することを可能にするために、安全な不正開封防止クロージャを有する様々な折畳み箱が実際に知られており、直方体の折畳み箱は、異なる側面とタブとの適切な接着によって全面を閉鎖され、１つの側に形成された安全な不正開封防止クロージャを除き、接着接合部を破ることによってのみ開封することができる。この場合、安全な不正開封防止クロージャは、接着剤を使用していないプルタブを備え、それによって長手方向に形成した引裂きライン領域の側面を、それぞれの折畳み箱側の面から取外すことができ、それによって包装を開封することができる。このタイプの一般的な包装は、独国特許出願公開第１０２００４００５３３３号明細書、および同第４４２３４６８号明細書で知られている。
【０００６】
これらの知られているタイプの包装には、対象の包装がすでに開封されているかどうかを使用者に示す唯一の視覚インジケータは、開封処理中に切離されることになるミシン目ラインが実際に切離されているかどうかを、使用者がチェックする必要があるという欠点がある。加えて、それぞれのプルタブは、プルタブをその下で支えている折畳み箱の側壁面の表面で終端する。したがって、包装開封部を切離すために把持することになるプルタブの境界線は、使用者が把持することが困難である。さらに、これらのタイプの包装には、開封のために把持することになるプルタブ領域を示す視覚インジケータが設けられない。
【発明の概要】
【発明が解決しようとする課題】
【０００７】
したがって本発明は、安全な不正開封防止クロージャ（tamper-evident closure）を有する再閉鎖可能な医薬品包装のための、解決策を提供する目的に基づく。安全な不正開封防止クロージャは、少なくともその大部分を形成するプルタブの、改善された把持能力および視覚認識性を提供する。
【課題を解決するための手段】
【０００８】
より詳細に初めに説明するタイプの再閉鎖可能な折畳み箱（reclosable folding box）において、本発明により、この問題は、折畳み箱の縁部に縁部側境界ラインが届き、折畳み箱の外側に第１のリニアパターン、特にギロシェパターン（guilloche pattern）が、少なくとも１つのパターンラインが切裂きライン領域を越えて少なくとも一部延びて印刷される、プルタブによって解決される。第１のリニアパターンは、折畳み箱の外側から視認可能であり第１のリニアパターンに対して対照色（コントラスト色：contrast color）になるよう印刷された領域に対して当接し、第１の側壁面の外側のプルタブの縁部を限定する縁部側の領域で少なくともプルタブを含んで囲むように形成されるか、または境界ラインの領域で、折畳み箱の外側に面した第２の側壁面の少なくとも表面領域でプルタブに覆われて形成され、同様に、第２の側壁面に対してヒンジ接続されたプルタブに隣接する第３の側壁面の外側に、そこに入るように形成される。
【０００９】
加えて、より詳細に初めに説明するタイプの再閉鎖可能な折畳み箱の素材片のように、上述の問題は、折畳み箱の外側上部に第１のリニアパターン、特にギロシェパターンが印刷され、パターンラインが少なくとも一部引裂きライン領域を越えて延びて印刷される、プルタブによって解決される。この第１のリニアパターンは、第１の側壁面に形成され、折畳み箱が折畳み箱の素材片から組立てられたときに、折畳み箱の外側から視認可能であり、第１のリニアパターンに対して対照色で印刷された領域に対して当接する。この領域は、第１の側壁面の外側にプルタブの縁部を限定する縁部側の領域で、少なくともプルタブを含んで囲むように形成される。または第１のリニアパターンは、折畳み箱が折畳み箱の素材片から組立てられたときに第２の側壁面に折畳めるよう、折畳み箱の外側から視認可能であり第１のリニアパターンに対して対照色で印刷された領域に当接するように形成される。折畳み箱が折畳み箱の素材片から組立てられたときにこの領域は、折畳み箱の外側に面した第２の側壁面の少なくとも表面領域、ならびに第２の側壁面に対してヒンジ接続された第３の側壁面の外側に、そこに入るように形成される。折畳み箱が組立てられ、第１の側壁面が第２の側壁面の上に折畳まれるとき、対照色で印刷された領域は、折畳み箱の縁部に届くプルタブの境界ライン領域に配置され、第２の側壁面の表面領域におけるプルタブによって少なくともほとんどの部分に覆われ、プルタブは第３の側壁面に当接する。
【００１０】
有利な実施形態および本発明の主題の実際の成果は、それぞれの従属クレームの主題を形成する。
【００１１】
本発明に従って提案された折畳み箱は、接着接合部、またはカービング（carving）もしくはカービング線、もしくはミシン目などの引裂きラインを破ることによってしか開封することができない安全包装を構築し、それによって包装の破壊が外側から直ちに認識される。ここで、特にプルタブの領域は、リニアパターンで印刷され、少なくとも１つのパターンラインがプルタブの境界を定める引裂きライン領域を越えて、折畳み箱の側壁の隣接する側壁面領域に入って延びるプルタブによって、考えられる実行された破壊または改ざんが認識され且つ視覚的に知らされ得るように設けられる。プルタブの把持能力は、プルタブが縁部側境界線で隣接する折畳み箱の縁部領域に達して、それによってこの領域を片手の指で容易に把持または押し込むことができ、その一方でプルタブを開封位置に動かすことができる、という事実によって改善される。プルタブのこの改ざん領域の認識性は、リニアパターンとは対照的な対照色である別の色印刷がこの領域に形成されることによってサポートされる。
【００１２】
すでに開封された包装を認識するためには、プルタブの下に配設された折畳み箱の側壁面の外側面もまた色でマークされると、さらに有利である。したがって本発明は、第１のリニアパターンとは色および／またはコントラストの点で異なる、第２のリニアパターン、特に第２のギロシェパターンが、折畳み箱の外側に面した第２の側壁面の表面、または当接するプルタブによって覆われた領域の第３の側壁面に対してヒンジ接続された挿入タブに、形成された実施形態を提供する。
【００１３】
プルタブの把持能力をさらに改善するために、本発明による折畳み箱は、プルタブに隣接する折畳み箱の縁部領域に、溝状に凹んだ把握または把持凹部（親指用のくぼみ）が形成される。本発明の実施形態によると、これは組立てられた折畳み箱を形成する折畳みラインの側縁部として形成される、第２および第３の側壁面の継ぎ目によって実現され、それは対照色に印刷された領域で２つの折畳みラインコースに分岐し、先端が細い閉じた楕円形を形成し、１つの折畳みラインに再結合して、プルタブの領域に溝状の側縁部領域を形成する。
【００１４】
開封する際に、切離されることになる引裂きラインが元のままであることをより容易に認識するために、対照色に印刷された領域は、本発明の別の有利な実施形態によって、引裂きライン領域を越えて少なくとも一部延びる。
【００１５】
加えて、本発明はまた、引裂きライン領域がリニアカービングまたはミシン目ラインとして形成されることを特徴とする。折畳み箱が開封されるとき、詳細にはプルタブが破られるか、または切取られて開封される場合、切離されることになる引裂きラインは、特に有利には、カービングもしくはリニアカービング、またはミシン目ラインとして形成され得る。
【００１６】
さらに、本発明の有利な実施形態によると、折畳み箱は、２つの対向する狭い壁および広い壁をそれぞれ形成する少なくとも４つの側壁面、および対向する上側壁と底側壁とを形成する２つの側壁面を有する、一体型の折畳み箱の素材片によって形成される。
【００１７】
加えて、本発明の別の有利な実施形態によると、安全な不正開封防止クロージャは、境界を定める少なくとも１つ以上の引裂きライン領域に沿った、接着されていないプルタブによって形成され、折畳み箱の外側の第１の側壁面に、取外し可能に一体化されている。
【００１８】
最後に、別の有利な実施形態によると、本発明による折畳み箱は、関連する上側または底側の挿入タブのクロージャ領域と協働するよう、挿入領域を形成することで、折畳み箱の素材片の上側タブまたは底側タブに切込みを入れた領域を形成することによって再閉鎖を可能とするか、またはプルタブにヒンジ接続された挿入舌部と協働する挿入スリットによって再閉鎖を可能とすることを特徴とする。
【００１９】
再閉鎖可能な折畳み箱に関して上述した利点は、本発明による折畳み箱の素材片に関する、従属請求項の対応する機能の組合せにも、類似して適用される。一実施形態によると、この折畳み箱の素材片は、第１のリニアパターンとは色および／またはコントラストの点で異なる、第２のリニアパターン、特に第２のギロシェパターンが、折畳み箱の外側に面した第２の側壁面の表面、または折畳み箱が組立てられたときに当接するプルタブによって覆われる領域で、第３の側壁面に対してヒンジ接続された挿入タブに形成されることを特徴とする。
【００２０】
加えて、第２および第３の側壁面の継ぎ目が、組立てられた折畳み箱を形成する折畳みラインの側縁部として形成される場合の実施形態によると有利であり、領域内に対照色で印刷された継ぎ目は、２つの折畳みラインのコースに分岐し、先端が細い閉じた楕円形を形成し、１つの折畳みラインに再結合して、プルタブの領域内に溝状の側縁部領域を形成し、それもまた本発明で提供される。
【００２１】
加えて、対照色で印刷された領域が、引裂きライン領域を越えて少なくとも一部延びる場合、有利である。
【００２２】
プルタブは、本発明でも提供される引裂きライン領域を、リニアカービングとして、またはミシン目ラインとして形成することで、特に良好で容易な方法で取外し可能に形成されてもよい。
【００２３】
加えて、本発明による解決法は、折畳み箱の素材片にも有利である。折畳み箱の素材片は、折畳み箱の２つの対向する狭い側壁および広い側壁を形成する、少なくとも４つの側壁面と、対向する上側壁および底部側壁を形成する、少なくとも２つの側壁面とを有する、一体型に形成される。
【００２４】
本発明の一実施形態によるプルタブは、折畳み箱の素材片における外側の第１の側壁面に、プルタブの境界を定める少なくとも１つ以上の引裂きライン領域に沿って、取外し可能に一体化され、特に容易に利用可能である。
【００２５】
最後に、折畳み箱の素材片は、関連する上側または底側の、協働する挿入タブの領域を閉鎖するための挿入領域を形成する方法で、折畳み箱の素材片の上側または底側タブに切込みを入れることによって、再閉鎖性を可能にする形成領域を備えること、またはプルタブに対してヒンジ接続された挿入舌部と協働して再閉鎖を可能にする挿入スリットを備えることを特徴とする。
【００２６】
次に図を用いて、例としてさらに詳細を説明する。
【図面の簡単な説明】
【００２７】
【図１】本発明による折畳み箱の素材片の、第１の実施形態の上面図である。
【図２】図１による折畳み箱の素材片から作製した折畳み箱の、概略斜視図である。
【図３】本発明による折畳み箱の素材片の、第２の実施形態の上面図である。
【図４】図５による折畳み箱の素材片から作製した折畳み箱の、概略斜視図である。
【図５】本発明による折畳み箱の素材片の、第３の実施形態の上面図である。
【図６】図３による折畳み箱の素材片から作製した折畳み箱の、概略斜視図である。
【発明を実施するための形態】
【００２８】
図１は、全体的に１で参照される折畳み箱の素材片の上面図を示しており、第１の側壁面２、第２の側壁面３、第３の側壁面４、第４の側壁面５、および第５の側壁面６を備えている。それらの長手方向側において、第１の側壁面２から第５の側壁面６までのグループから、それぞれの２つの隣接する側壁面は、それぞれの折畳みライン７ａ〜７ｄによって、それぞれ互いにヒンジ接続される。一体型の折畳み箱の素材片１の全体によって形成された、組立てられた折畳み箱４１（図２）において、第１の側壁面２および第３の側壁面４はそれぞれ、折畳み箱４１の２つの対向する広い側壁９のうちの１つを形成し、第２の側壁面３および第４の側壁面５はそれぞれ、折畳み箱４１の対向する狭い側壁１０を形成する。第５の側壁面６は、接着タブを形成する。このタブには、折畳み箱４１を作製するために、接着剤３２が図１に示す側に提供され、その上に第２の側壁面３の裏が、折畳み箱４１を作製するときに、ホース状の素材片を形成するために接着される。
【００２９】
対向する横側部または広い側部において、第１の底側壁面１２が、第１の側壁面２の一方の側の折畳みライン８ａによって、ヒンジ接続される。第１の挿入タブ１３は、別の折畳みライン８ｂによって第１の底側壁面１２に対してヒンジ接続される。この端部領域において、折畳みライン８ｂには、両端にそれぞれ同一の切込み部１４ａ、１４ｂが設けられる。第１の底側壁面１２の反対側には、第１の上側壁面１５が、第１のミシン目ライン１６に沿って第１の側壁面２の広い側部に対してヒンジ接続される。第１のミシン目ライン１６から始まり第１の側壁面２に形成される、第２のミシン目ライン１７によって、第１および第２のミシン目ライン１６、１７によって跳ね上がるプルタブ１８が、所定の方法で形成される。リニアパターン２０、特にギロシェパターンを有する領域または範囲１９は、第２のミシン目ライン１７、したがってプルタブ１８の部分的領域も覆うように、プルタブ１８の外面に印刷される。プルタブ１８の全体を覆わない領域または範囲１９に隣接して、プルタブの別の領域または別の範囲２１が、リニアパターン２０とは対照的な対照色２２で、第２のミシン目ライン１７の残りの領域を、上塗りによって印刷される。好ましくは、この対照色２２はシグナルカラーである。
【００３０】
したがって、プルタブ１８は第２のミシン目ライン１７によって限定され、折畳み箱４１が組立てられて接着された状態における第１のミシン目ライン１６は、上部側の折畳み箱の縁部３９を形成し、第１のミシン目ライン１６によって形成された境界は、プルタブ１８の縁部側の境界ライン８５を同時に形成する。第２のミシン目ライン１７は、引裂きライン領域を形成し、印刷されたパターン２０の少なくとも１つのパターンラインが、引裂きライン領域を越えて延びる。
【００３１】
この配置に対して第１の側壁面２の反対側に配置された、類似の位置において、第３の側壁面４には第２の上側壁面２３が、その一方の横側部または広い側部に沿って折畳みライン８ｃによってヒンジ接続されて提供される。第２の挿入タブ２４は、折畳みライン８ｄによって第２の上側壁面２３に対してヒンジ接続される。折畳みライン８ｄには、その両端の外縁部領域に切込み部１４ｃ、１４ｄも提供され、それらは、第１の底側壁面１２と第１の挿入タブ１３との間の切込み部１４ａ、１４ｂと同一に形成される。
【００３２】
第２の上側壁面２３の反対側では、第２の底側壁面２５が、別の折畳みライン８ｅによって第３の側壁面４に対してヒンジ接続される。
【００３３】
第２の側壁面３および第４の側壁面５において、それぞれ一方の側のそれぞれの折畳みライン８ｆ、８ｇによって、第３の上側壁面２６は第４の側壁面５に対してヒンジ接続され、第４の上側壁面２７は第２の側壁面３に対してヒンジ接続される。これらの反対側で、それぞれ折畳みライン８ｈ、８ｉによって、第３の底側壁面２８は第２の側壁面３に対してヒンジ接続され、第４の底側壁面２９は第４の側壁面５に対してヒンジ接続される。
【００３４】
第１のリニアパターンとは色およびコントラストが異なるように形成された、第２のリニアパターン３１が、組立てられて作製された折畳み箱８のプルタブ１８に関連付けられた領域３０の、第２の挿入タブ２４に印刷される。
【００３５】
折畳み箱４１を作製するために、折畳み箱の素材片１すなわちホース状の折畳み箱の素材片が、接着タブを形成する第５の側壁面６を第２の側壁面３の内側に接合することによって作製される。次に、ホース状の接合された折畳み箱の素材片１は直方体形状に組立てられ、第３および第４の底側壁面２８、２９が内側へ垂直に折畳まれる。次に、第１の底側壁面１２は第３および第４の底側壁面２８、２９の正面に折畳まれ、第１の挿入タブ１３は第３の側壁面４の内側面の下に、第３および第４の底側壁面２８、２９を越えて挿入される。この位置において、次に第１の底側壁面１２および第２の底側壁面２５は、第１の底側壁面１２の外面に適用された接着トレイル３３によって互いに接着される。
【００３６】
第１の挿入タブ１３を容易に内側に折畳めるようにするよう、且つ第１の挿入タブ１３に、第３および第４の底側壁面２８、２９の関連する一方の縁部と、第３の側壁面４の他方の内面との間に十分な空間を作り出すよう、十分な摩擦およびクランプ作用を加えたままで、第２の挿入タブ１３と協働する第３および第４の底側壁面２８、２９の縁部領域には、段付き切込み部３５、３６が設けられる。これら段付き切断部３５、３６の領域における、第１の挿入タブ１３の挿入を容易にするため、第１の挿入タブ１３の縁部領域は、丸みを付けて形成される。上下に重なる要素、すなわち第３および第４の底側壁面２８、２９（内側）と、第１の底側壁面１２（中間位置）と、外側に配設された第２の底側壁面２５とは、全体で折畳み箱４１の底部側壁を形成する。
【００３７】
底側壁の反対側の上側において、まだ開いている折畳み箱４１は、次に医薬品を詰めることができる。次いで、第３および第４の上側壁面２６、２７が内側へ垂直に折畳まれ、第２の上側壁面２３が、折畳まれた第３および第４の上側壁面の正面に据えられ、第２の挿入タブ２４が、第３および第４の上側壁面２６、２７を越えて、第１の側壁面２の下に押し込まれる。次に、第１の上側壁面１５が、第２の上側壁面２３の正面に折畳まれ、第２の上側壁面２３の外側に適用された接着トレイル３４によって接着される。
【００３８】
底部側壁と類似して、折畳み箱４１の上側壁においても、後ほど折畳み箱４１を再閉鎖するときに再閉鎖機能をもたらす第２の挿入タブ２４のために対応する、挿入および取付け領域を提供するために、第２の挿入タブ２４と協働する第３および第４の上側壁面２６、２７の縁部領域には、それぞれ段付き切込み部３７、３８が設けられる。
【００３９】
閉鎖された折畳み箱４１の場合、次にその上側壁４０は内部の第３および第４の上側壁面２６、２７、それらの正面に据えられた中間層としての第２の上側壁面２３、および外側の第１の上側壁面１５によって形成される。
【００４０】
折畳み箱の素材片１によって形成された折畳み箱４１は、側面から詰め、且つ側面で開封することができる折畳み箱４１を構成する。折畳み箱４１は、一体型の素材片１であるため、および３つの側壁上で接合するために、完全且つ安全に閉鎖される。接着が剥がされて開封された場合、これは折畳み箱４１に改ざんが加えられたものと認識され得る。接着されていないプルタブ１８が、折畳み箱４１を開封するために設けられる。それは、折畳み箱４１の安全な不正開封防止クロージャ８４を構成する。それは、対照色の領域２１、２２に延びる第２のミシン目ライン１７の部分的領域に押し込まれ、それによってミシン目の接続を切離す。その結果プルタブ１８は、片手の親指を利用して、縁部側限定縁部８６で、第１の上側壁面１５と共に開封する動きの状態にすることができる。次にこの開封する動きは、第１のミシン目ライン１６も切離して、折畳み箱４１の開封位置に達するまで動かすことができる。この動きの間、第２の上側壁面２３も開封位置に動かされ、第１の上側壁面１５と第２の上側壁面２３との間の接着接合によって、ヒンジ接続された第２の挿入タブ２４と共に折畳み箱４１の切除した開口部を露出する。次に医薬包装品を取り出すことができ、次に、第３の挿入タブ２４を段差の付いた切込み部３７、３８で形成された形成領域の中に挿入することによって、折畳み箱４１を再閉鎖することができる。したがって、これらのクロージャ領域は、互いに協働する弧状側縁部の挿入領域と、第１または上側挿入タブ２４の閉鎖領域とを形成する。折畳み箱４１を開封するとき、または開封するために、プルタブ１８も全体が取外されることがある。このような改ざんは、第２のリニアパターン３１が、プルタブ１８を取外した後に作り出される視認窓において視認可能となるため、再閉鎖された折畳み箱で確認され得る。
【００４１】
図３に示す折畳み箱の素材片１ａを使用して、図６に示すように頂部で詰めて開封することができる、折畳み箱４２を作製することができる。したがって、折畳み箱の素材片１ａにおいて、第３の側壁面４および第５の側壁面６は、折畳み箱４２の広い側壁９を形成し、第１の側壁面２と、第２の側壁面３と、第４の側壁面５とは、折畳み箱４２の狭い側壁１０を形成する。第１の側壁面２と、第２の側壁面３とは、互いに重なって１つの狭い側壁１０を形成する。この場合も、第１〜第５の側壁面２〜６のグループからの、２つの隣接する側壁面は、共通の長手方向側における折畳みライン７ａ〜７ｄによって、それぞれヒンジ接続される。第３および第４の上側壁面２６、２７は、折畳みライン８ｆ、８ｇによって横側部または広い側部に対してヒンジ接続される。折畳み箱４２の狭い側壁１０を形成する第２の側壁面３および第４の側壁面５において、第３および第４の底側壁面２８、２９は、折畳みライン８ｈ、８ｉによってヒンジ接続される。第３の側壁面４は、その横側部または広い側部に、折畳みライン８ｄによってヒンジ接続された第２の挿入タブ２４を伴う、（第２の）上側壁面２３を備えており、この（第２の）上側壁面２３は、折畳みライン８ｃによって第３の側壁面４に対してヒンジ接続される。その反対側の、（第１の）底側壁面１２は、別の折畳みライン８ｅによって、第３の側壁面４の反対側の広い側部に対してヒンジ接続され、（第１の）底側壁面１２は、反対側の折畳みライン８ｂによって、第１の挿入タブ１３に接続される。第１の挿入タブ１３および第２の挿入タブ２４において、楕円形の接着領域４４、４５が、このそれぞれの領域を画定するカービング４６、４７によって、それぞれ中央に形成される。ここで、カービング４６、４７は、折畳み箱の素材片１ａの厚紙の厚さの半分だけ侵入し、それによって、後で説明する折畳み箱４２を開封する場合において、楕円形の接合領域４４、４５は、第１および第２の挿入タブ１３、２４のそれぞれの側壁面から離される。この実施形態において、プルタブ１８は、第１の側壁面２の外側領域に、接着タブ領域４８に対してプルタブ１８の境界を定める第１の部分的領域１６ａを備える、第１のミシン目ライン１６によって、および、接着タブ４８が側壁面２の隣接領域に対して取外し可能に限定される部分的領域１６ｂによって、形成される。類似して、接着タブ４９が、第１の側壁面２の反対側に形成され、プルタブ１８の反対側の第１の部分的領域１７ａと、第１の側壁面２の残りの領域の反対側の部分的領域１７ｂとにおける第２のミシン目ライン１７で、取外し可能に限定される。第１および第２のミシン目ライン１６、１７の、部分的領域または部分セクション１６ｂ、１７ｂの間に、プルタブ１８が、折畳みライン５０によって第１の側壁面２に繋がれている。次に、プルタブ１８には、第１のリニアパターン２０が印刷された領域または表面１９が提供される。このリニアパターン２０は、少なくとも１つのパターンラインで、プルタブ１８を横方向に限定する第１および第２のミシン目ライン１６、１７のセクションまたは領域１６ａ、１７ｂを介して、それぞれ当接する接着タブ４８、４９の領域の中に延びる。
【００４２】
リニアパターン２０、および一般に明色である折畳み箱の素材片１ａの外側の色に対する対照色で印刷された対照色領域２２は、第２の側壁面３の中央に、折畳みライン７ｄを越え、プルタブ１８と類似する位置で第３の側壁面４内に到達するよう、刻印される。この対照色領域２２は、第２の側壁面３から第３の側壁面４への折畳み箱の底側縁部５２を形成する折畳みライン７ｄの領域５１に進み、そこで折畳みライン７ｄは、領域５１が、先端が細い楕円の形状に形成されるように２つの折畳みラインコース７’ｄおよび７”ｄに分かれ、折畳みライン７ｄに再結合する。折畳み箱の素材片１ａから作製され、組立てられた折畳み箱４２において、次に先端が細い楕円５１のこの領域は、片手の親指を挿入するため、把持凹部５３などの折畳み箱の縁部５２に、溝状に形成される。
【００４３】
折畳み箱４２を作製するために、第２の側壁面３および第４の側壁面５が垂直に組立てられ、第３および第４の上側壁面２６、２７、ならびに第３および第４の底側壁面２８、２９が内側へ垂直に折畳まれる。それぞれ関連する底側壁面１２および底側壁面２３は、次に、それぞれ外側に接着トレイル５４が設けられた底側壁面および上側壁面２６〜２９のそれぞれに据えられ、互いに接着される。ここで、挿入タブ１３および２４は、それらそれぞれの折畳みライン８ｂ、８ｄに沿って、第３の側壁面４に平行に内側方向に折畳まれる。接合領域４４、４５にそれぞれ接着トレイル５５が提供され、第２の側壁面３の外側の接着タブ４８、４９それぞれに当接する領域に接着トレイル５６が提供されて、折畳み箱４２の上側を形成する第３の側壁面４を折畳んで接合領域４４、４５と接着され、第１の側壁面２の接着タブ４８、４９が、第１の側壁面２を折畳んで接着トレイル５６の上に適用することによって第２の側壁面３と接着される前に、形成されて上部を椀状に開けられた折畳み箱４２に詰めることができる。次に第３の側壁面４は、折畳み箱４２の広い側壁９および底側壁５７を形成する。
【００４４】
折畳み箱４２を開封するために、使用者は溝状の把持領域５３の中に片手の親指を入れて、この領域のプルタブを把持することができる。適切な力を利用すると、プルタブ１８を引上げることができ、第１および第２のミシン目ライン１６、１７に沿って、第１の側壁面２の隣接領域と共に接着タブ４８、４９から切離すことができる。第５の側壁面６によって形成された折畳み箱４２の上（側）壁が、さらに開かれると、接合領域４４、４５は、それらを囲むカービング４６、４７に沿って切り開かれ、その後上側を開けられた折畳み箱４２は、完全に開くことになる。この折畳み箱４２を再閉鎖するために、接着タブ４８、４９を切離した後に残る角領域５８、５９は、第２の側壁面３の対応する角領域６０、６１の背後の折畳み箱の内側にはめ込まれる。これを容易に可能にし、クロージャ位置を確保するのに十分な摩擦力を有するために、第１の挿入タブ１３および第２の挿入タブ２４には、それぞれ対応して形成された段付きの切込み部６２、６３が設けられる。また、それぞれ隣接する、第４の上側壁面またはタブ２６、および第３の底側壁面またはタブ２８には、この挿入側に面した長手方向縁部の対応する切込み部が設けられる。この再閉鎖の挿入プロセスは、印刷領域１９が第２の側壁面３の内側に残るように、プルタブ１８の印刷領域１９を折畳み箱４２に挿入することを含む。
【００４５】
素材片１ｂ（図５）から形成された折畳み箱４３（図４）は、折畳み箱４２（図６）と類似の方法で形成される。しかしこれは、側方から詰められ且つ側方から開けられる折畳み箱４３として形成され、その他の大きな違いは、折畳み箱４３の側壁領域がいくつかの層で形成されることである。
【００４６】
折畳み箱の素材片１および１ａの場合と同じように、まず一体型の折畳み箱の素材片１ｂ（第３の実施形態）は、第１〜第５の側壁面２〜６のグループを備える。加えて、第６の側壁面６４および第７の側壁面６５も備える。この場合においても、それぞれの２つの隣接する側壁面は、当接する長手方向の側の、折畳みライン７ａ〜７ｄのうちの１つによって接続される。同様に、２つのさらなる折畳みライン７ｅおよび７ｆが、第６および第７の側壁面６４、６５の継ぎ目に加えて設けられる。ここで、折畳みライン７ｅおよび７ｆは、それらの中央領域にある穴開け領域６６、６７によって遮断される。
【００４７】
第１の側壁面２は、図３による第２の実施形態における第１の側壁面２と類似して、且つ同じ方法で形成される。第１の側壁面２はプルタブ１８を備える。プルタブ１８は、第１のミシン目ライン１６の第１の部分１６ａによって、第１の側壁面２に形成された接着タブ４８に対して一方の側に境界を定められる。そのさらなるコース１６ｂにおいて、第１のミシン目ライン１６は、第１の側壁面２の当接領域に対して接着タブ４８の境界を定める。類似して、第２のミシン目ライン１７が反対側に形成され、プルタブ１８に対してそのミシン目ライン部分１７ａに沿って、且つ第１の側壁面２の残りの領域に対するそのミシン目ライン部分１７ｂに沿って、接着タブ４９の境界を定める。第１および第２のミシン目ライン１６、１７の部分的領域１６ｂと１７ｂとの間で、プルタブ１８は、第１の側壁面２への折畳みライン５０に沿って区切られる。図５による折畳み箱の素材片１ｂの第３の例示的な実施形態において、プルタブ１８は、この折畳みライン５０から始まる挿入舌部１１を備える。挿入舌部１１は、第１の側壁面２の表面における穴開けライン６８に沿って境界を定められ、第１の側壁面２の中に突出する。この挿入舌部１１は、第２の側壁面３に形成された挿入スリット６９と協働する。折畳み箱の素材片１ｂで形成された折畳み箱４３（図４）が、後で再閉鎖されるとき、挿入舌部１１は、折畳み箱４３を再閉鎖するために挿入スリット６９の中に挿入される。
【００４８】
一体型の素材片１ｂを形成する、第５の側壁面６、第４の側壁面５、第３の側壁面４、および第２の側壁面３には、図３による実施形態と類似して、側方タップまたはフラップ、すなわち第１の底側壁面１２および第２の上側壁面２３（第３の側壁面４）、第３の上側壁面２６および第４の底側壁面２９（第４の側壁面５）、ならびに第４の上側壁面２７および第３の底側壁面２８（第２の側壁面３）が設けられ、それらは、それぞれ第２〜第４の側壁面３〜６に対して、折畳みライン８ｃ、８ｅ、８ｆ、８ｇ、８ｈ、８ｉのうちの１つによってヒンジ接続される。側方から詰めることができ、且つ側方から開封することができる折畳み箱４３は、折畳み箱の素材片１ｂから作製することができるので、側壁面２６〜２９、１２、および２３は、単なる側壁面であり、折畳み箱４３の塗布位置にあるそれらは、それぞれの名称が何か別のものを示唆し得る場合であっても、上側または上面も、底側また底面も形成しない。折畳み箱の素材片１、１ａ、および１ｂ、ならびに３つの折畳み箱４１、４２、および４３の３つの実施形態の類似性を簡略化するために、例えば対応する側面が、折畳み箱４１、４２、または４３それぞれの塗布位置に、上側面または底側面を形成しない場合でも、類似のタブ、フラップ、および側面には同じ名称が維持される。
【００４９】
図５の例示的な実施形態によるプルタブ１８は、同じく領域１９にあり、第１のリニアパターンが印刷され、少なくとも１つのパターンラインは、第１および第２のミシン目ライン１６、１７の当接セクション１６ａ、１７ａを越えて延びる。
【００５０】
図３による実施形態と類似して、図５による折畳み箱の素材片１ｂの第２の側壁面３を第３の側壁面４に接続する折畳みライン７ｄは、始めに分岐して次に１つの折畳みライン７ｄに再結合し、互いの間で先端が細い楕円として形成される表面を囲む、２つの部分セクション７’ｄおよび７”ｄによって形成されるプルタブ１８の位置に対応する中央領域にある。ここで、折畳みラインセクション７’ｄは、再び第２の側壁面３の外側面に形成され、折畳みラインセクション７”ｄは、第３の側壁面４の外側面に形成される。加えて、再びこの領域には、好ましくはシグナルカラーで、第１のリニアパターン２０と比べて高いコントラストの色で印刷された印刷領域２２が設けられ、印刷領域２２は第２の側壁面３から第３の側壁面４の当接領域に入る。領域３０は、第２の側壁面３の外側において接合し、色および／またはコントラストおよび／または直線性が第１のリニアパターン２０とは異なって形成された第２のリニアパターン３１で印刷される、第２のリニアパターン３１もまた刻印される。好ましくは、第１のリニアパターン２０および第２のリニアパターン３１はギロシェパターンである。挿入スリット６９は、領域３０の穴開け面として、したがって第２のリニアパターン３１の表面に形成される。
【００５１】
折畳み箱の素材片１ｂから形成される折畳み箱４３の再閉鎖性は、挿入舌部１１を挿入スリット６９に挿入することによって確実になるので、再閉鎖を生じさせる他の挿入タブは不要である。したがって側壁面１２、２３、２６〜２９は、対応する挿入タブを形成することなく形成され、このタイプの挿入タブと協働する段付き切込み部を含まない。
【００５２】
異なる側壁でいくつかの層で折畳み箱４３を形成するために、素材片１ｂは、第６の側壁面６４および第７の側壁面６５を追加的に備える。取外し可能な側壁面領域７２は、第６の側壁面６４に、ミシン目ライン７０ａ〜７０ｃ、および７１ａ〜７１ｃによって形成される。別の側壁面領域７３が、第２の側壁面３に形成され、第２の側壁面３のミシン目ライン７４ａ、７４ｂ、および穴開けライン７５によって、取外し可能な方法で境界を定められる。第５および第６の底側面または上側面７６、７７は、第６の側壁面６４の両端で、折畳みライン８ｋおよび８ｌによってヒンジ接続される。
【００５３】
折畳み箱４３を組立てるために、第３の側壁面４を底面にとり、それに対してヒンジ接続される第４の側壁面５、およびそれに対してヒンジ接続される第５の側壁面６を、それらの内側を第７の側壁面６５および第６の側壁面６４の上に折畳み、それによって第４の側壁面５が、第７の側壁面６５に適用された接着トレイル７８に接着され、第５の側壁面６の内側が、第６の側壁面６４の外面の側壁面領域７２に形成された接着ドット８１に接着される。続いて、第１の側壁面２の内側が、第２の側壁面３の外側の上に折畳まれ、第２の側壁面３に形成された接着ドット８２、８２’に接着される。ここで、接着ドット８２’は、第２の側壁面３の側壁面領域７３に形成され、接着ドット８２は、その後に接着タブ４８、４９に据えられることになる領域に形成される。それによって、ホース状に形成された折畳み箱の素材片１ｂは組立てられる。次に側壁面２６、２７、２８、および２９は、概ね垂直位置に押し入れられ、その正面で、第２の上側面２３および第１の底側面１２は当接する。これらの側面を完成させるため、次に側面７６および７７が、それぞれ接着トレイル７９、８０を備える第１の底側壁面１２および第２の上側壁面２３の上に折畳まれ、接着される。それに先立ち、側方で開けられ、且つ側方で詰められることになる折畳み箱４３に、医薬品が詰められる。折畳み箱４３は、第５および第６の側壁面６、６４で形成される、二重層の折畳み箱の上側８３を備える。同様に、第２および第１の側壁面２、３は、二重層の狭い側壁１０、または折畳み箱４３の前壁を形成する。閉鎖され、接着され、組立てられた折畳み箱において、溝形の「刻み目」５３は、折畳み箱の底側縁部５２の領域の、先端が細い楕円５１の領域に形成され、それが、この領域に配置されたプルタブ１８の、長手方向縁部または縁部側境界ライン８５の把持を可能に、且つ容易にする。折畳み箱４３を開封するため、プルタブ１８が溝状凹部５３の側部から把持され、第１の側壁面２が、対応する引裂きでミシン目ライン１６ａ、１６ｂ、および１７ａ、１７ｂを切離すことによって、開封位置に動かされる。ここで、接着ドット８２は、接着タブ４８、４９をそれらの位置に残す。接着ドット８２は、第２の側壁面の側壁面領域７３を、第１の側壁面を回転させて開く際に共に取って、ミシン目ライン７４ａおよび７４ｂ、ならびに穴開けライン７５に沿って、第２の側壁面３の側面から取外す。次に折畳み箱４３を上側で開封するために、折畳み箱の上側８３を形成する第５の側壁面６を、同様に外側に回転させる。ここで、接着ドット８１が側壁面領域７２を共に移動させ、第６の側壁面６４の側壁からミシン目ライン７０ａ、７０ｂ、７０ｃ、７１ａ、７１ｂ、および７１ｃに沿って取外される。折畳み箱４３に収容された医薬品は、次に上部が開く折畳み箱４３から取り出すことができる。折畳み箱を再閉鎖するために、第５の側壁面６および第１の側壁面２は、それらの閉鎖位置に折畳み返される。折畳み箱４３を、その再閉鎖位置に保持するために、挿入舌部１１が挿入スリット６９に挿入される。この挿入位置において、第１の側壁面２に最初に挿入舌部１１を形成する領域に切込み部が形成され、それを介して、第２の側壁面３の上側に印刷された第２のリニアパターン３１が、この領域で視認可能である。これは使用者に対して、この再閉鎖された折畳み箱４３が、すでに開封されたことを示す、さらなる示唆である。
【００５４】
上述でミシン目ラインまたは穴開けラインに対する参照が、具体的になされていたとしても、それらは、本出願の文脈内で引裂きラインまたは引裂きライン領域と一般的に言及される要素の、特定の実施形態を形成する。
【００５５】
加えて、上述の全ての例示的な実施形態において、等しい、もしくは類似の要素、または同じ効果を有する要素には、同じ参照番号が与えられている。
【００５６】
素材片１、１ａ、１ｂは、従来の包装ボードで作られており、そのため全ての上述の素材片１、１ａ、１ｂの側壁面は、それぞれ厚紙から作られた折畳み箱の側壁の要素を形成する。
【符号の説明】
【００５７】
１、１ａ、１ｂ  素材片
２  第１の側壁面
３  第２の側壁面
４  第３の側壁面
５  第４の側壁面
６  第５の側壁面
７ａ〜７ｆ  折畳みライン
８ａ〜８ｌ  折畳みライン
９  広い側壁
１０  狭い側壁
１１  挿入舌部
１２  底側面、底側壁面
１３  挿入タブ
１４ａ〜１４ｄ  切込み部
１５  第１の上側壁面
１６、１６ａ、１６ｂ、１７、１７ａ、１７ｂ  ミシン目ライン
１８  プルタブ
１９  印刷領域
２０  第１のリニアパターン
２１、２２  対照色で印刷された領域
２３  第２の上側壁面
２４  挿入タブ
２５  第２の底側壁面
２６  第３の上側壁面
２７  第４の上側壁面
２８  第３の底側壁面
２９  第４の底側壁面
３０  領域
３１  第２のリニアパターン
３２  接着剤
３３、３４  接着トレイル
３５  切込み部、切込み領域、形成領域
３６〜３９  切込み部、形成領域
４０  上側壁
４１〜４３  再閉鎖可能折畳み箱
４４、４５  接合領域
４６、４７  カービング
４８、４９  接着タブ
５０  折畳みライン
５１  先端が細い楕円
５２  折畳み箱の縁部
５３  溝状凹部、溝状把持領域、溝状刻み目
５４〜５６  接着トレイル
５７  底側壁
５８〜６１  角領域
６２、６３  切込み部、形成領域
６４  第６の側壁面
６５  第７の側壁面
６６、６７  穴開け領域
６８  穴開けライン
６９  挿入スリット
７０ａ〜７０ｃ、７１ａ〜７１ｃ  ミシン目ライン
７２、７３  側壁面領域
７４ａ、７４ｂ  ミシン目ライン
７５  穴開けライン
７６、７７  側壁面
７８  接着トレイル
８１、８２、８２’  接着ドット
８３  折り込み箱の上側
８４  不正開封防止クロージャ
８５  境界ライン
８６  縁部側限定縁部
【図１】
2019510704.tif 000003
【図２】
2019510704.tif 000004
【図３】
2019510704.tif 000005
【図４】
2019510704.tif 000006
【図５】
2019510704.tif 000007
【図６】
2019510704.tif 000008
【国際調査報告】
2019510704.tif 000009
2019510704.tif 000010
2019510704.tif 000011
2019510704.tif 000012
2019510704.tif 000013
2019510704.tif 000014